(57)【要約】【課題】  カードを排出するとき、カードが勢いよく飛び出すことを確実に阻止できるカード用コネクタを提供する。【解決手段】  カード１１をハウジング２から排出するとき、イジェクトバー４は、カムフォロア６によるロックから解除されて、コイルスプリング５の復元力によって奥部２Ａ側から入口部２Ｂ側へスライドする。このとき、イジェクトバーの突出部４Ｂは、カードの先端を押すので、カードも移動する。この状態では、イジェクトバーの一端４Ｃは、ゴムブレーキ７の圧縮を開始する。続いて、ゴムブレーキは、圧縮方向と直交する方向に弾性変形するので、３角形状の先端の当接部７Ａは、カードの一側部に圧接する。したがって、カードがハウジングから無用に飛び出すことが、阻止される。【選択図】  図２
2005353368.tif 000002
【特許請求の範囲】
【請求項１】
ハウジングと、前記ハウジングに保持されるイジェクト機構と、前記ハウジングに保持される弾性部材とを有するカード用コネクタにおいて、
前記イジェクト機構は、カードにより挿入され、かつ、前記カードを排出するイジェクトバーを有し、
前記イジェクトバーは、前記カードを排出する際、前記弾性部材を圧縮して弾性変形させ、
前記弾性部材は、前記カードと当接して押圧することにより、前記カードの飛び出しを阻止することを特徴とするカード用コネクタ。
【請求項２】
ハウジングと、前記ハウジングに保持されるイジェクト機構と、前記ハウジングに設けられる筒状部と、前記筒状部に連続する空気逃げ部とを有するカード用コネクタにおいて、
前記イジェクト機構は、カードにより挿入され、かつ、前記カードを排出するイジェクトバーを有し、
前記空気逃げ部の断面積は、前記筒状部の断面積よりも狭く構成され、
前記イジェクトバーは、前記カードを排出する際、前記筒状部内の空気を圧縮して前記空気逃げ部から流出させ、
前記イジェクトバーは、徐ろに移動することにより、前記カードの飛び出しを阻止することを特徴とするカード用コネクタ。
【請求項３】
前記空気逃げ部を開閉する弾性変形可能な空気弁が設置されることを特徴とする請求項２記載のカード用コネクタ。
【発明の詳細な説明】
【技術分野】
【０００１】
本発明は、カードの無用の飛び出しを阻止することができるカード用コネクタに関する。
【背景技術】
【０００２】
第１の従来の技術としてプッシュ−プッシュ式カード用コネクタについて図７〜図１０を参照して説明する（例えば、特許文献１参照。）。
【０００３】
図７は、コネクタの分解斜視図、図８は、コネクタにカードを挿入する前の状態を示す斜視図、図９（ａ）〜（ｅ）は、コネクタに対するカードの挿入と排出の過程を順次示す斜視図、図１０は、コネクタにおけるハートカムのカム溝にガイドされるカムフォロアのガイドピンの過程を示す斜視図である。
【０００４】
コネクタ４１は、インシュレータ４２と、インシュレータ４２に固定された複数のコンタクト４３と、インシュレータ４２のフレーム部４２Ａに装着されるイジェクトバー４４と、イジェクトバー４４を排出方向へ常時付勢する圧縮コイルばね４５と、イジェクトバー４４に形成されたハートカム４４Ｃにガイドされるカムフォロア４６とから構成される。カード５１は、コネクタ４１に挿入され、また、コネクタ４１から排出される。
【０００５】
個々の部品を詳細に説明すると、インシュレータ４２は、合成樹脂から略長方形状に製造され、その３辺にコ字形のフレーム部４２Ａ，４２Ｂ，４２Ｃが形成される。各コンタクト４３には、一端側に凸状湾曲接点部４３Ａが形成され、他端側に平坦接点部４３Ｂが形成されている。イジェクトバー４４は、合成樹脂から略Ｌ字形状に製造され、ガイド部４４Ａと直角折曲部４４Ｂとを有し、ガイド部４４Ａの一面にはハートカム４４Ｃが形成され、直角折曲部４４Ｂのカード当接部４４Ｄにはカード５１の先端が当接する。イジェクトバー４４のガイド部４４Ａは、フレーム部４２Ａに形成された断面Ｕ字状の溝（図示せず）内にスライド可能に収容され、ガイド部４４Ａの一面に形成された溝４４Ｅ内に圧縮コイルばね４５が挿入される。圧縮コイルばね４５の一端は、イジェクトバー４４に圧接し、他端は、フレーム部４２Ｃの内面に圧接する。したがって、イジェクトバー４４は、圧縮コイルばね４５によってカード５１をコネクタ４１から排出する方向へ常時付勢されている。カムフォロア４６は、金属製でレバー状に形成され、フレーム部４２Ａの外側に形成された切欠４２Ｄ内に所定角度回動可能に配置される。カムフォロア４６の基部に形成された穴４６Ａは、フレーム部４２Ａに形成された軸４２Ｅにはまり、また、カムフォロア４６の先端部に折曲形成されたガイドピン４６Ｂは、フレーム部４２Ａに設けられた穴（図示せず）を貫通してハートカム４４Ｃのカム溝に係合する。
【０００６】
なお、コネクタ４１の全体を長方形状のカバー（図示せず）によって覆う。
【０００７】
イジェクトバー４４のハートカム４４Ｃの詳細について図１０を参照して説明する。イジェクトバー４４のガイド部４４Ａの一面には、ハートカム４４Ｃが形成される。ハートカム４４Ｃは、カムフォロア４６のガイドピン４６Ｂの出発点の円囲１と、イジェクトバー４４のスライド方向に対して傾斜したガイド部分の円囲２と、ハート型の凹部の円囲３と、イジェクトバー４４のスライド方向に対して平行なガイド部分の円囲４と、ガイドピン４６Ｂの終着点の円囲５すなわち出発点の円囲１とから、循環状のガイドレール（カム溝）として構成される。ガイドピン４６Ｂは、フリー状態では、カムフォロア４６の弾力性によって図１０における右方へ付勢されている。
【０００８】
カード５１のコネクタ４１に対する挿入と排出（抜去）について図９と図１０を参照して説明する。
【０００９】
まず、図９（ａ）は、カード５１の一部がコネクタ４１内に挿入されたフリー状態であり、図１０において、カムフォロア４６のガイドピン４６Ｂは、ハートカム４４Ｃの出発点の円囲１に位置する。
【００１０】
次に、図９（ｂ）は、カード５１をコネクタ４１内方向へプッシュし、カード５１の先端がイジェクトバー４４のカード当接部４４Ｄに当接することによって、カード５１とイジェクトバー４４とが一体となって、コネクタ４１内へ圧縮コイルばね４５の圧縮力に抵抗しながらスライドする途中の状態である。図１０において、ガイドピン４６Ｂは、ハートカム４４Ｃにおけるイジェクトバー４４のスライド方向に対して傾斜したガイド部分の円囲２に位置する。
【００１１】
続いて、カード５１を最大のストロークまでプッシュした後に、プッシュを中止すると、カード５１とイジェクトバー４４とは、圧縮コイルばね４５の復元力によってわずかに戻されて図９（ｃ）の状態に至る。図９（ｃ）は、カード５１の複数のパッド（図示せず）が複数のコンタクト４３の各凸状湾曲接点部４３Ａに接触した嵌合状態であり、図１０において、ガイドピン４６Ｂは、ハートカム４４Ｃのハート型の凹部の円囲３に没入して位置する。以上で、カード５１の嵌合操作は完了する。
【００１２】
再び、カード５１を最大のストロークまでプッシュした後に、プッシュを中止すると、図１０において、ガイドピン４６Ｂは、ハートカム４４Ｃのハート型の凹部の円囲３から脱出してイジェクトバー４４のスライド方向に対して平行なガイド部分の円囲４を経て終着点の円囲５すなわち出発点の円囲１に至る。カード５１とイジェクトバー４４とは、圧縮コイルばね４５の復元力によって図９（ｄ）の状態を経て図９（ｅ）の状態に至る。以上で、カード５１の排出操作は、完了する。
【００１３】
前記例では、ハートカム４４Ｃをイジェクトバー４４に形成し、カムフォロア４６をインシュレータ４２に設けたが、ハートカムをインシュレータに形成し、カムフォロアをイジェクトバーに設けるように設計変更することができる。
【００１４】
第２の従来の技術としてＩＣカードの外部機器への接続構造について図１１を参照して説明する（例えば、特許文献２参照。）。
【００１５】
外部機器６１にＩＣカード７１が挿入され、ＩＣカード７１はスライド板６２上に載置されている。スライド板６２は、ばね（図示せず）によって排出方向（図１１における左方向）に付勢されている。ＩＣカード７１を外部機器６１から排出するときには、ＩＣカード７１の接続端子とコネクタの接触子との接触圧力に抵抗するように、押ボタン（図示せず）を押す。すると、ＩＣカード７１はコネクタから離脱し、ＩＣカード７１とスライド板６２はばねの付勢力によって外部機器６１から排出される。
【００１６】
ＩＣカード７１が挿入排出される外部機器６１の出入口付近の下部には、制動部６３が設けられる。制動部６３は、合成ゴム又は天然ゴム等のゴム材の平板から製作されて、接着剤等によって固着される。
【００１７】
したがって、スライド板６２は、外部機器６１から排出される際、制動部６３に接触することによって、摩擦抵抗が発生する。よって、スライド板６２は、徐ろに外部機器６１から排出されるので、ＩＣカード７１は、外部機器６１から勢いよく飛び出すことを阻止される。
【００１８】
【特許文献１】特開２００１−２６７０１３号公報（第２頁第２欄第３４行〜第３頁第４欄第２６行、図１〜４）
【特許文献２】特開平６−１６２２８１号公報（第２頁第１欄第５０行〜第２欄第１３行、図１）
【発明の開示】
【発明が解決しようとする課題】
【００１９】
第１の従来の技術のカード用コネクタにおいては、カード５１を排出する際、圧縮コイルばね４５がイジェクトバー４４を押すと、カード５１がイジェクトバー４４から勢いよく飛び出す支障が生じることがある。
【００２０】
第２の従来の技術のＩＣカード７１の外部機器６１への接続構造においては、スライド板６２は、外部機器６１から排出される際、制動部６３に接触することによって、摩擦抵抗が発生する。しかし、スライド板６２と制動部６３との摩擦抵抗は、平面接触に基因するため、不安定で、しかも、弱小である。
【００２１】
そこで、本発明は、前記両従来の技術の欠点を改良し、カードを排出するとき、カードが勢いよく飛び出すことを確実に阻止できるカード用コネクタを提供しようとするものである。
【課題を解決するための手段】
【００２２】
本発明は、前記課題を解決するため、次の手段を採用する。
【００２３】
１．ハウジングと、前記ハウジングに保持されるイジェクト機構と、前記ハウジングに保持される弾性部材とを有するカード用コネクタにおいて、前記イジェクト機構は、カードにより挿入され、かつ、前記カードを排出するイジェクトバーを有し、前記イジェクトバーは、前記カードを排出する際、前記弾性部材を圧縮して弾性変形させ、前記弾性部材は、前記カードと当接して押圧することにより、前記カードの飛び出しを阻止するカード用コネクタ。
【００２４】
２．ハウジングと、前記ハウジングに保持されるイジェクト機構と、前記ハウジングに設けられる筒状部と、前記筒状部に連続する空気逃げ部とを有するカード用コネクタにおいて、前記イジェクト機構は、カードにより挿入され、かつ、前記カードを排出するイジェクトバーを有し、前記空気逃げ部の断面積は、前記筒状部の断面積よりも狭く構成され、前記イジェクトバーは、前記カードを排出する際、前記筒状部内の空気を圧縮して前記空気逃げ部から流出させ、前記イジェクトバーは、徐ろに移動することにより、前記カードの飛び出しを阻止するカード用コネクタ。
【００２５】
３．前記空気逃げ部を開閉する弾性変形可能な空気弁が設置される前記２記載のカード用コネクタ。
【発明の効果】
【００２６】
明細書の説明から明らかなように、本発明は、次の効果を奏する。
【００２７】
１．カードを排出する際、弾性部材が弾性変形してカードと当接して押圧するか、又は、イジェクトバーが筒状部内の空気を圧縮して空気逃げ部から流出させることにより徐ろに移動するので、カードのコネクタからの飛び出しが確実に阻止される。
【００２８】
２．課題を解決するための手段として、ゴムブレーキ等の弾性部材、又は、ハウジングに筒状部、空気逃げ部及び空気弁を設けることを採用するので、構成が簡素で、部品点数が少なく、組立分解が容易で、しかも、コストが安価である。
【発明を実施するための最良の形態】
【００２９】
本発明の二つの実施例のカード用コネクタについて説明する。
【実施例１】
【００３０】
本発明の実施例１について図１〜図３を参照して説明する。なお、実施例１についての説明は、第１の従来の技術と同様な点の説明を省略し、相違する点の説明のみを行う。
【００３１】
図１はカード用コネクタ１（カバーを除く。）にカード１１が挿入されている状態の正面図、図２はカード用コネクタ１からカード１１が排出される途中の状態の正面図、図３はカード用コネクタ１からカード１１が排出された状態の正面図を、それぞれ示す。
【００３２】
カード用コネクタ１のハウジング２内の奥部２Ａの中央付近には、多数のコンタクト３が１列に保持されている。ハウジング２内の左側には、イジェクトバー４が上下方向にスライド可能に保持されている。イジェクトバー４は、コイルスプリング５によってハウジング２の入口部２Ｂ側へ常時付勢されている。イジェクトバー４に形成されたハートカムの溝４Ａには、カムフォロア６の一端６Ａが係合し、カムフォロア６の他端６Ｂはハウジング２に回転可能に支持されている。また、イジェクトバー４に形成された突出部４Ｂには、カード１１の先端の一隅が当接する。更に、入口部２Ｂの左側片隅には、ゴムブレーキ７が配設されている。
【００３３】
カード１１がハウジング２に作業者の手指によって挿入されるとき、カード１１の先端の一隅がイジェクトバー４の突出部４Ｂを押す。したがって、イジェクトバー４は、コイルスプリング５を圧縮しながら入口部２Ｂ側から奥部２Ａ側へスライドする。カード１１の挿入行程が完了すると、カード１１の各接点（図示せず）は、カード用コネクタ１の各コンタクト３に接続する。この際、イジェクトバー４の動作は、カムフォロア６によって規制される。
【００３４】
カード１１をハウジング２から排出するときには、ハウジング２に設けられている押しボタン（図示せず）又はカード１１を押す。すると、イジェクトバー４は、カムフォロア６によるロックから解除されて、コイルスプリング５の復元力によって奥部２Ａ側から入口部２Ｂ側へスライドし、図２に示される状態に至る。このとき、イジェクトバー４の突出部４Ｂは、カード１１の先端を押すので、カード１１もイジェクトバー４と共に、図２に示される状態に至る。この状態では、イジェクトバー４の一端４Ｃは、ゴムブレーキ７の圧縮を開始する。続いて、図３に示されるように、ゴムブレーキ７は、圧縮方向と直交する方向に弾性変形するので、３角形状の先端の当接部７Ａは、カード１１の一側部に圧接する。ただし、図３においては、当接部７Ａがカード１１に食い込むように、誇張して示されている。したがって、カード１１がハウジング２から無用に飛び出すことが、阻止される。なお、ゴムブレーキ７に中空部７Ｂが設けられると、ゴムブレーキ７は容易に弾性変形することができる。
【実施例２】
【００３５】
本発明の実施例２について図４〜図６を参照して説明する。なお、実施例２についての説明は、実施例１と同様な点の説明を省略し、相違する点の説明のみを行う。
【００３６】
図４はカード用コネクタ１（カバーを除く。）にカード（図示せず）が挿入されている状態の正面図、図５は図４における線Ａ−Ａによる断面図、図６（ａ）は図５に空気弁を設けた場合のカード挿入時の断面図、図６（ｂ）は図５に空気弁を設けた場合のカード排出時の断面図を、それぞれ示す。
【００３７】
まず、実施例２においては、図４と図５に示されるように、実施例１のゴムブレーキ７に代えて、ハウジング２に、筒状部２７と、筒状部２７に連続する空気逃げ孔２８とを設ける。空気逃げ孔２８は、ハウジング２の裏面から外部に連通する。
【００３８】
空気逃げ孔２８の断面積は、筒状部２７の断面積よりも極めて狭く構成される。したがって、カードをカードコネクタ１から排出するとき、空気は筒状部２７から空気逃げ孔２８を経て外部に流出し難いので、イジェクトバー４は徐ろにスライドする。よって、カードは、ハウジング２から無用に飛び出さない。
【００３９】
次に、図６に示されるように、図５における空気逃げ孔２８を開閉する空気弁２９を設置する。空気弁２９は、弾性変形可能な材料から構成される。
【００４０】
カード挿入時には、空気弁２９が図６（ａ）の矢印に示されるように空気逃げ孔２８を開くので、空気は空気逃げ孔２８から筒状部２７に流入する。
【００４１】
カード排出時には、図６（ｂ）に示されるように、イジェクトバー４が矢印方向にスライドすると、筒状部２７内の空気は圧縮されて空気弁２９を矢印方向に押す。すると、空気弁２９は、空気逃げ孔２８を閉じる。ただし、空気弁２９と空気逃げ孔２８との間には、僅かな隙間が設けられていること、又は、空気弁２９に小孔が形成されていることによって、空気は矢印方向に僅かに流れる。したがって、イジェクトバー４は徐ろにスライドする。よって、カードは、ハウジング２から無用に飛び出さない。
【図面の簡単な説明】
【００４２】
【図１】本発明の実施例１のカード用コネクタ（カバーを除く。）にカードが挿入されている状態の正面図である。
【図２】同カード用コネクタから同カードが排出される途中の状態の正面図である。
【図３】同カード用コネクタから同カードが排出された状態の正面図である。
【図４】本発明の実施例２のカード用コネクタ（カバーを除く。）にカード（図示せず）が挿入されている状態の正面図である。
【図５】図４における線Ａ−Ａによる断面図である。
【図６】（ａ）は図５に空気弁を設けた場合のカード挿入時の断面図、（ｂ）は図５に空気弁を設けた場合のカード排出時の断面図を、それぞれ示す。
【図７】第１の従来の技術のプッシュ−プッシュ式カード用コネクタの分解斜視図である。
【図８】同コネクタにカードを挿入する前の状態を示す斜視図である。
【図９】（ａ）〜（ｅ）は、同コネクタに対する同カードの挿入と排出の過程を順次示す斜視図である。
【図１０】同コネクタにおけるハートカムのカム溝にガイドされるカムフォロアのガイドピンの過程を示す斜視図である。
【図１１】第２の従来の技術のＩＣカードの外部機器への接続構造の要部を示す断面図である。
【符号の説明】
【００４３】
１  カード用コネクタ
２  ハウジング
２Ａ  奥部
２Ｂ  入口部
３  コンタクト
４  イジェクトバー
４Ａ  ハートカムの溝
４Ｂ  突出部
４Ｃ  一端
５  コイルスプリング
６  カムフォロア
６Ａ  一端
６Ｂ  他端
７  ゴムブレーキ
７Ａ  当接部
７Ｂ  中空部
１１  カード
２７  筒状部
２８  空気逃げ孔
２９  空気弁
【図１】
2005353368.tif 000003
【図２】
2005353368.tif 000004
【図３】
2005353368.tif 000005
【図４】
2005353368.tif 000006
【図５】
2005353368.tif 000007
【図６】
2005353368.tif 000008
【図７】
2005353368.tif 000009
【図８】
2005353368.tif 000010
【図９】
2005353368.tif 000011
【図１０】
2005353368.tif 000012
【図１１】
2005353368.tif 000013